(57)【要約】【課題】公開ページでも商品やコンテンツの販売が安全にできるようにするための、決済サイトへのリンクの設定作業を簡単にできるようにする。【解決手段】電子決済サイト５にダウンロードページ６を設けて、ソフトウェアプログラムＳをダウンロードできるようにする。そのソフトウェアプログラムＳをダウンロードして実行すると、コンテンツＣを掲載した公開ページ３内に「これがほしいボタン」Ｂを配置する設定を行うとともに、電子決済サイト５へのハイパーリンクＬを自動的に追加する。こうすることで、公開ページ３から電子決済サイト５の支払いページ７へ直接ジャンプできるようにしてコンテンツＣの購入が安全にできるようにする際の、リンクの設定作業を簡単にできるようにする。【選択図】  図１
2004310443.tif 000002
【特許請求の範囲】
【請求項１】
ウェブサイトで公開した商品やデジタルコンテンツの決済代行を依頼する際に、インターネットの電子決済サイトからソフトウェアプログラムをダウンロードし、そのダウンロードしたプログラムを起動して前記商品やデジタルコンテンツの公開ページを読み込ませて表示したページの任意の位置にポインタを移動して指定すると、指定したポインタのレジスタ値を取得して、その取得したレジスタ値に基づいてボタンアイコンを公開ページのソースプログラムに追加するとともに、
前記表示した公開ページの商品やデジタルコンテンツの表示をポインタで指定すると、その指定したポインタのレジスタ値を取得して、取得したレジスタ値に基づいて前記表示に決済サイトへのハイパーリンクを公開ページのソースプログラムに付加することにより、公開ページ上に表示される商品やデジタルコンテンツの表示をクリックし、ボタンアイコンをクリックすると、電子決済サイトへハイパージャンプして決済を実行できるようにした電子商取引方法。
【請求項２】
上記ダウンロードプログラムが表示した公開ページの商品やデジタルコンテンツを指定した際に、そのポインタのレジスタ値に基づいて指定した商品やデジタルコンテンツのＵＲＬ及びファイル情報を取得し、取得した情報を電子決済サイトへ送信するようにした請求項１に記載の電子商取引方法。
【請求項３】
上記商品やデジタルコンテンツのハイパーリンクを設定する際、入力ボックスを表示し、決済価格を設定するようにした請求項１または２に記載の電子商取引方法。
【請求項４】
上記ファイル情報及び価格情報を公開ページのソースプログラムに追加した際に、修正したページを自動的に生成する請求項２または３に記載の電子商取引方法。
【請求項５】
上記公開ページを修正した際に、その修正したページをユーザ端末に保存し、保存した公開ページをウェブサイトへ掲載して公開するようにした請求項１乃至４のいずれかに記載の電子商取引方法。
【発明の詳細な説明】
【０００１】
【発明の属する利用分野】
この発明は、インターネット上での商品やデジタルコンテンツの販売のための決済代行の設定と公開ページの設定を容易にできるようにした電子商取引方法に関するものである。
【０００２】
【従来の技術】
常時接続や高速回線などのブロードバンド環境の普及により、インターネット上で商品の販売やデジタルコンテンツ（ソフトウェア、画像、文書、音声など）の販売が益々盛んになる傾向がある。
【０００３】
ところで、このようなインターネット上での商品の販売やデジタルコンテンツの販売（電子商取引）では、売買の際の料金徴収が大きな問題となっていた。
【０００４】
すなわち、電子決済に必要なクレジット番号などの個人情報が、オープン（データの改ざんや成り済ましなどの不正行為が日常茶飯事に行われている）なネット上を行き来する。そのため、安全に電子商取引を行うためには、最新のネットワークテクノロジーやセキュリティ技術を必要とする。
【０００５】
このような問題を解決する一つの方法として、最新のネットワークテクノロジーやセキュリティ技術を提供できる販売サイト（電子モール）などに出店するという方法が行われている。
【０００６】
ところで、上記のように販売サイトに出店する方法では、出店したサイトに幾らコンテンツを掲載してもサイトを訪れた人しか見ることがない。そのため、コンテンツを広く知らしめて販売できるようにするためには、販売者の公開（ホーム）ページでも販売できるようにしたい。
【０００７】
ところが、上記のように販売者の公開ページで決済を行うことは、先にも述べたとおり、セキュリティ上問題がある。そこで、決済を決済サイト（例えば、販売サイトの）が代行すれば販売者の公開ページでも販売ができる。代行させる方法としては、公開ページの商品やコンテンツにリンクを設けて決済サイトの支払ページへハイパージャンプさせる仕組みを考えた。
【０００８】
【発明が解決しようとする課題】
しかしながら、上記のように、決済代行を行うためには、少なくとも商品やコンテンツを特定する名称とその値段を決済サイトへ知らせる必要がある。
【０００９】
しかし、商品やコンテンツの数が多いと入力数も多くなり、煩雑な上に入力ミスも犯しやすくなる。
【００１０】
そこで、この発明の課題は、煩雑な設定作業を簡単にできるようにして、入力ミスを犯し難くする。そして、公開ページでも商品やコンテンツの販売ができるようにすることである。
【００１１】
【課題を解決するための手段】
上記の課題を解決するため、この発明では、ウェブサイトで公開した商品やデジタルコンテンツの決済代行を依頼する際に、インターネットの電子決済サイトからソフトウェアプログラムをダウンロードし、そのダウンロードしたプログラムを起動して前記商品やデジタルコンテンツの公開ページを読み込ませて表示したページの任意の位置にポインタを移動して指定すると、指定したポインタのレジスタ値を取得して、その取得したレジスタ値に基づいてボタンアイコンを公開ページのソースプログラムに追加するとともに、前記表示した公開ページの商品やデジタルコンテンツの表示をポインタで指定すると、その指定したポインタのレジスタ値を取得して、取得したレジスタ値に基づいて前記表示に決済サイトへのハイパーリンクを公開ページのソースプログラムに付加することにより、公開ページ上に表示される商品やデジタルコンテンツの表示をクリックし、ボタンアイコンをクリックすると、電子決済サイトへハイパージャンプして決済を実行できるようにした構成を採用したのである。
【００１２】
このような構成を採用することにより、ダウンロードしたプログラムを起動し、表示されたページ上で販売を希望する商品やデジタルコンテンツを指定するだけで、電子決済サイトへハイパーリンクできるので、電子決済サイトのシステムを利用してネット上で安全な取引を行うことができる。
その際、公開ページ上にボタンを設けて、ボタンをクリツクしない限り電子決済サイトへジャンプしないようにして、購入までの間にワンステップ置くことで操作ミスを排除し、購入の確認ができるようにする。
【００１３】
このとき、上記ダウンロードプログラムが表示した公開ページの商品やデジタルコンテンツを指定した際に、そのポインタのレジスタ値に基づいて指定した商品やデジタルコンテンツのＵＲＬ及びファイル情報を取得し、取得した情報を電子決済サイトへ送信するようにした構成を採用することができる。
【００１４】
このような構成を採用することにより、電子決済サイトで必要な情報を販売希望の公開ページから自動的に取得することで、設定間違いを起こさないようにできる。
【００１５】
また、このとき、上記商品やデジタルコンテンツのハイパーリンクを設定する際、入力ボックスを表示し、決済価格を設定するようにした構成を採用することができる。
【００１６】
このような構成を採用することにより、表示された入力ボックスに価格を設定していくと、商品やデジタルコンテンツごとに価格を付けることができ、価格設定ミスを防ぐことができる。
【００１７】
このとき、上記ファイル情報及び価格情報を公開ページのソースプログラムに追加した際に、修正したページを自動的に生成する構成を採用することができる。
【００１８】
このような構成を採用することにより、設定したファイル情報及び価格情報を公開ページへ追加し、修正された公開ページを自動的に生成することができる。
【００１９】
また、このとき、上記公開ページを修正した際に、その修正したページをユーザ端末に保存し、保存した公開ページをウェブサイトへ掲載して公開するようにした構成を採用することができる。
【００２０】
このような構成を採用することにより、修正したページを迅速に公開ページへ反映させることができる。
【００２１】
【発明の実施の形態】
以下、この形態の実施の形態を図面に基づいて説明する。
【００２２】
この形態の電子商取引方法では、図１に示すように、インターネットＩ上に電子決済システムを構築した決済サーバ１と、インターネットＩのＷＷＷサーバ２に設けられた公開ページ３及びユーザ端末４とで構成されている。
【００２３】
決済サーバ１は、最新のネットワークテクノロジーを駆使し、強固なセキュリティ対策を施して立ち上げられた電子決済サイト５であり、暗号化技術を用いてハッカーなどから個人情報の漏洩を防止することができる決済システムを有している。また、このシステムを利用する際に必要な配布用のプログラムＳのダウンロードページ６を備えている。
【００２４】
この配布用のプログラムＳは、ダウンロードして実行すると、公開ページ３に電子決済サイト５へのハイパーリンクを自動的に追加するというものである。
【００２５】
すなわち、このプログラムを実行した後の公開ページ３は、例えば、図１に示すように、リンクＬの設定された商品やデジタルコンテンツ（以下、コンテンツ）Ｃごとに「これがほしいボタン」Ｂが設けられ、「これがほしいボタン」Ｂをクリックすると、強固なセキュリティで保護された電子決済サイト５の支払いページ７へジャンプして決済処理ができるようになっている。
【００２６】
その際、「これがほしいボタン」Ｂに埋め込まれた商品識別ＩＤにより電子決済サイト５でコンテンツＣの商品の識別を行う。
【００２７】
公開ページ３は、コンテンツＣの販売を希望するものが開設したもので、公開ページ３の設けられるサーバ２は、専用サーバであってもよいし、インターネットサービスプロバイダが提供するレンタルサーバなどを利用したものであってもよい。
【００２８】
ちなみに、このようなコンテンツＣの販売を希望するものは、コンテンツＣが掲載されたページに経済産業省により義務づけられた特定商取引法に基づく表示が掲示されているか、掲示されたページを保有しているか、保有することが必要である。
【００２９】
ユーザ端末４は、インターネットＩ上に接続した決済サーバ１やＷＷＷサーバ２へアクセス可能な端末で、ここでは、公開ページ３作成用のパーソナルコンピュータを用いている。
【００３０】
この形態は、上記のように構成されており、以下、この発明に係る電子商取引方法の一連の流れを、前記プログラムＳの設定方法を述べながら説明することにする。
【００３１】
この発明の電子商取引方法では、まず、コンテンツＣの販売を希望するものは、コンテンツＣの著作権の帰属を明確にし、問題を生じないようにする必要がある。その上で電子決済サイト５の運営側との間で販売契約を結ぶ。この契約は、インターネットＩを介して電子決済サイト５上の契約専用ページで行うようにすればよい。
【００３２】
電子決済サイト５では、例えば、契約の際の登録情報などに基づいて審査をして、審査に合格すればプログラムＳのダウンロードページ６へのアクセス権を有するＩＤとパスワードを通知する。
【００３３】
このダウンロードページ６のＩＤとパスワードを受け取った販売を希望する者は、図２〜図３に示すような手順をスタート（「処理」１００：以下「処理」省略）し、コンテンツＣの販売の設定を行う。
【００３４】
すなわち、インターネットＩから電子決済サイト５へアクセスし、ダウンロードページ６を開いて、ＩＤとパスワードを入力すると（１１０）、プログラムＳのダウンロードが可能となるので、ダウンロードが可能となったプログラムＳをユーザ端末（例えばパーソナルコンピュータなど）４へダウンロードしたのち（１１５）、実行する（１２０）。
【００３５】
プログラムＳを実行すると、ユーザ端末４の画面上にＵＲＬの入力ボックスが表示されるので、保有するサイトの公開ページ３のアドレスを入力する（１２５）。すると、専用ブラウザ（ＨＴＭＬの編集ができるエディタ）が起動してアドレス先のページをダウンロードして表示する（１３５）。表示されたページ内に「これがほしいボタン」Ｂを配置する設定を行う。
【００３６】
この設定は、「これがほしいボタン」Ｂを配置したい公開ページ３内の場所へポインタＰを移動してクリックする（この形態のユーザ端末４には、ポインティングデバイスとしてマウスが装備されている）（１４０）。
【００３７】
ここで、ダウンロードされた公開ページ３は、ＨＴＭＬ（ＨｙｐｅｒｔｅｘｔＭａｒｋｕｐ  Ｌａｎｇｕａｇｅ）形式で記述されたファイルｆなので、例えば、プログラムＳが、先程のポインタＰのレジスタ値（後述の図４のように）を取得すると（１４５）、取得したレジスタ値に基づいて前記クリック位置と対応する公開ページ３のＨＴＭＬファイル（ダウンロード）内のステートメントの位置に前記ボタンＢを表示させるタグを挿入する（１５０）。これとともに、前記ボタンＢの画像ファイルを公開ページ３のＨＴＭＬファイルｆの表示用コンポーネントに加えることで、ページ３上にボタンＢを表示する。
【００３８】
このように配置した「これがほしいボタン」Ｂは、後述のように販売可能なコンテンツＣに追記したハイパーリンクＬを有効にするために設けたもので、前記リンクＬをクリックしても「これがほしいボタン」Ｂをクリックするまでは電子決済サイト５へジャンプしないようにするためのものである。
このように、ジャンプまでにワンステップを設けることで、操作ミスを排除し、購入の確認ができるようにしてある。
【００３９】
次に、公開ページ３内のコンテンツＣにリンクを設けるため、その表示にポインタＰを移動し、クリックして販売可能なものを特定する（１５５）。
【００４０】
すると、プログラムＳは、例えば図４のように、ポインタＰのレジスタ値を取得して（１６０）、その読み込んだレジスタ値に基づいて前記ＨＴＭＬファイルｆに記載されたコンテンツＣを特定するタグを見つけて、そのタグから販売可能な画像ファイル名（以下、「ファイル名」という）と、その画像ファイルの保存場所を取得する（１６５）。
【００４１】
また、取得したファイル名のものが保存場所に存在するか、否かをチェックする（１７０）。このとき、ファイル名のものが保存場所に存在しない場合は、処理（１５５）〜（１７０）を繰り返す。
【００４２】
一方、ファイル名のものが保存場所に存在する場合は、販売価格の設定を行うための処理をする（１７５）。この処理では、例えば、ファイル名をクリックすると、図５のようにウィザード形式で価格入力用のダイアログボックスＷを表示するようにして、価格データを先程取得したファイル名と関連付けて電子決済サイト５の支払いページ７に登録する。
【００４３】
こうすることで、初心者でも簡単に支払いページ７への価格設定ができるようになっている。
【００４４】
ここで、設定された価格は、公開ページ３上に併記するため、ＨＴＭＬファイルｆの該当位置に価格を反映させるタグを追記する。
【００４５】
また、タグを併記した先のファイル名をクリックすると、電子決済サイト５の支払いページ７へジャンプさせるために、支払いページ７へのリンクＬをＨＴＭＬの表示タグへ追記する。このようにタグを追記したＨＴＭＬファイルのタグを整列して、修正したＨＴＭＬファイルを自動的に生成する（１８０）。
【００４６】
こうして一つの設定が終わると、他に販売したいものがものがあれば、処理（１５５）〜（１８５）を繰り返す。また、公開ページ３以外のページに販売したいものがあれば、処理（１３０）〜（１９０）を繰り返す。そして、終わりならプログラムＳを終了する（１９５）。
【００４７】
この修正されたＨＴＭＬファイルｆ’は、プログラム上で保存することにより、ユーザ端末４内に保存できる。保存したＨＴＭＬファイルＢは、ＦＴＰ機能を使用してＷＷＷサーバ２へ掲載する。
【００４８】
このように設定された公開ページでは、インターネットＩに接続した一般のユーザが公開ページ３を閲覧して欲しいものが見つかると、そのコンテンツＣをクリックし、「これがほしいボタン」Ｂをクリックすると、セキュリティで保護された電子決済サイトの支払ページ７へジャンプする。そのため、ジャンプした支払いページ７で支払いを済ますことができるので、安全にコンテンツＣの購入ができる。
【００４９】
このように、煩雑な処理をしなくても簡単にリンクＬ設定できる。
【００５０】
このため、販売側はセキュリティの心配をしなくとも商品やデジタルコンテンツＣの決済ができる。一方、購入側は、訪れたページから購入処理ができるため、購入までに時間と手間がかからない。
【００５１】
なお、実施形態では、ＨＴＭＬ形式で作成された公開ページに付いて述べたが、これ以外にもＸＭＬ形式などどのような形式で作成された公開ページにも対応可能である。
【００５２】
【発明の効果】
この発明は、以上のように構成したことにより、簡単にリンクを設定して決済サイトを利用できる。
このため、公開ページでも販売された商品やデジタルコンテンツの決済が、安全にできる。
【図面の簡単な説明】
【図１】実施形態のブロック図
【図２】実施形態のフローチャート
【図３】実施形態のフローチャート
【図４】実施形態の作用説明図
【図５】実施形態の作用説明図
【符号の説明】
１  決済サーバ
２  ＷＷＷサーバ
３  公開ページ
４  ユーザ端末
５  決済サイト
６  ダウンロードページ
Ｂ  「これがほしいボタン」
Ｉ  インターネット
Ｌ  ハイパーリンク
Ｐ  ポインタ
Ｓ  プログラム
【図１】
2004310443.tif 000003
【図２】
2004310443.tif 000004
【図３】
2004310443.tif 000005
【図４】
2004310443.tif 000006
【図５】
2004310443.tif 000007